(57)【要約】【課題】開封前の内容物の濃度変化や内容物の減量を有効に防止できるキャップ付き容器を提案する。【解決手段】本発明のキャップ付き容器は、口部２ａを貫く通気口２ａ５を有する外層体２Ａと内容物を収容可能な充填空間Ｓを有する内層体３とを備える容器本体１と、口部２ａを囲繞する外周壁４ｂを有するキャップ４Ａとを備え、口部２ａは、上部筒状壁２ａ１に一体につながるとともに上部筒状壁２ａ１よりも大径になる下部筒状壁２ａ３を有し、外周壁は、キャップ４Ａのねじ込み終了域において、下部筒状壁２ａ３の外面から径方向外側に向けて突出する段部２ａ８或いは下部筒状壁２ａ３の外面から下方に向けて拡径しながら延在する傾斜部２ａ９に当接して通気口２ａ５と外界との空気の流れを遮断する下端部４ｄを有する。【選択図】図１
2018002233.tif 000002
【特許請求の範囲】
【請求項１】
筒状の口部を有するとともに該口部を貫く通気口及び該口部の外周面に設けられる雄ねじ部を有する外層体と、内容物を収容可能な充填空間を有し該内容物を抽出させるに伴って該通気口から該外層体との相互間に空気を導入して減容変形する内層体とを備える容器本体と、
前記口部を囲繞する外周壁に前記雄ねじ部に適合する雌ねじ部を有し該口部にねじ込まれて前記充填空間を閉鎖するキャップと、を備えるキャップ付き容器であって、
前記口部は、前記雄ねじ部を有する上部筒状壁と、該上部筒状壁に一体につながるとともに該上部筒状壁よりも大径になる下部筒状壁とを有し、
前記外周壁は、前記キャップのねじ込み終了域において、前記下部筒状壁の外面から径方向外側に向けて突出する段部或いは該下部筒状壁の外面から下方に向けて拡径しながら延在する傾斜部に当接して前記通気口と外界との空気の流れを遮断する下端部を有するキャップ付き容器。
【請求項２】
前記外周壁は、前記下端部の当接に伴って径方向外側に向けて撓む下部外周壁を有する請求項１に記載のキャップ付き容器。
【請求項３】
前記下部外周壁は、前記雌ねじ部が設けられる上部外周壁よりも薄肉である請求項２に記載のキャップ付き容器。
【請求項４】
前記外周壁は、前記上部外周壁と前記下部外周壁とが連結する部位に径方向外側に向けて突出するリング部を有する請求項３に記載のキャップ付き容器。
【発明の詳細な説明】
【技術分野】
【０００１】
本発明は、容器本体とキャップとを備えるキャップ付き容器に関するものであり、特に容器本体が、口部に通気口を有する外層体と、外層体の内側に配置される内層体とを備えるキャップ付き容器に関する。
【背景技術】
【０００２】
従来、外層体と外層体の内側に配置される内層体とを備えた二重構造になる容器が知られている（例えば特許文献１参照）。この種の容器は、外層体をスクイズしたり外層体の口部に取り付けたポンプを駆動させたりして内容物を抽出させても内層体の内部には空気が入らないため、使用開始後における内容物の品質劣化が生じにくいという利点がある。また、内容物を抽出させると、外層体に設けた通気口から外層体と内層体との間に空気を導入して内層体だけが減容変形するため、内容物が少なくなっても容器の自立性が維持されるという利点もある。更に、容器の姿勢を問わずに内容物を抽出させることができる（容器を正立姿勢にした状態でも倒立姿勢にした状態でも内容物の抽出が可能）という利点もある。このためこの種の容器は、化粧料や医薬品、各種の食品や調味料等を収容する容器として幅広い分野で使われている。
【０００３】
ところでこのような容器は、外層体の口部に装着したキャップによって開封前の密閉性が維持されているものの、内容物の種類や内層体の材質によっては、内容物の水分や揮散成分が内層体を透過してしまうおそれがある。このため、透過した水分や揮散成分が通気口から外界へと放出されて、内容物の濃度変化や内容物の減量につながる懸念があった。
【先行技術文献】
【特許文献】
【０００４】
【特許文献１】特開２００１−１０６２６３号公報
【発明の概要】
【発明が解決しようとする課題】
【０００５】
このような不具合を解決できる方法としては、例えば内層体の厚みを厚くすることが考えられる。しかし、内層体の厚みが厚くなり過ぎると剛性が高まるために減容変形に支障を来すおそれがある。
【０００６】
本発明は、このような問題点を解決することを課題とするものであり、開封前の内容物の濃度変化や内容物の減量が有効に防止できる、新規のキャップ付き容器を提案することを目的とする。
【課題を解決するための手段】
【０００７】
本発明は、筒状の口部を有するとともに該口部を貫く通気口及び該口部の外周面に設けられる雄ねじ部を有する外層体と、内容物を収容可能な充填空間を有し該内容物を抽出させるに伴って該通気口から該外層体との相互間に空気を導入して減容変形する内層体とを備える容器本体と、
前記口部を囲繞する外周壁に前記雄ねじ部に適合する雌ねじ部を有し該口部にねじ込まれて前記充填空間を閉鎖するキャップと、を備えるキャップ付き容器であって、
前記口部は、前記雄ねじ部を有する上部筒状壁と、該上部筒状壁に一体につながるとともに該上部筒状壁よりも大径になる下部筒状壁とを有し、
前記外周壁は、前記キャップのねじ込み終了域において、前記下部筒状壁の外面から径方向外側に向けて突出する段部或いは該下部筒状壁の外面から下方に向けて拡径しながら延在する傾斜部に当接して前記通気口と外界との空気の流れを遮断する下端部を有するキャップ付き容器である。
【０００８】
前記外周壁は、前記下端部の当接に伴って径方向外側に向けて撓む下部外周壁を有することが好ましい。
【０００９】
前記下部外周壁は、前記雌ねじ部が設けられる上部外周壁よりも薄肉であることが好ましい。
【００１０】
前記外周壁は、前記上部外周壁と前記下部外周壁とが連結する部位に径方向外側に向けて突出するリング部を有することが好ましい。
【発明の効果】
【００１１】
本発明に従うキャップ付き容器において、キャップの外周壁は、キャップのねじ込み終了域において、下部筒状壁の外面から径方向外側に向けて突出する段部、或いはこの下部筒状壁の外面から下方に向けて拡径しながら延在する傾斜部に当接する下端部を有していて、通気口と外界との空気の流れを遮断することができる。このため、内層体から内容物の水分や揮散成分が透過することがあっても、これらは外層体と内層体との間の空間に滞留してこれらの濃度が高まるため、新たな水分や揮散成分の透過を抑制することができる。また、これらの効果を発揮させるにあたって、内層体が減容変形しにくくなるという問題が生じることもない。しかもキャップをねじ込む際、外周壁の下端部が段部や傾斜部に当接するのはねじ込み終了域であるため、両者が当接する際のトルクの上昇を極力抑えることができ、キャップの開閉作業に影響を及ぼすことがない。
【図面の簡単な説明】
【００１２】
【図１】本発明に従うキャップ付き容器の第一実施形態を示す、側面視での部分断面図である。
【図２】図１に示すキャップを取り外した後、外層体の口部に櫛付きノズルを装着した状態を示す側面図である。
【図３】本発明に従うキャップ付き容器の第二実施形態を示す、側面視での部分断面図である。
【図４】本発明に従うキャップ付き容器の第三実施形態を示す、側面視での部分断面図である。
【発明を実施するための形態】
【００１３】
以下、図１を参照して、本発明に従うキャップ付き容器の第一実施形態について説明する。なお、本明細書において、「上」方向、「下」方向とは、図１に示すように容器本体（符号１）が下方に位置し、キャップ（符号４Ａ）が上方に位置する状態での向きをいう。
【００１４】
本実施形態のキャップ付き容器は、容器本体１（外層体２Ａと内層体３で構成される）、キャップ４Ａ、パッキン５を備えている。
【００１５】
外層体２Ａは、筒状の口部２ａと、口部２ａに一体につながる胴部２ｂと、胴部２ｂの下端を閉鎖する底部２ｃ（図２参照）を備えている。本実施形態の外層体２Ａは合成樹脂製であって、胴部２ｂは可撓性を有している。
【００１６】
口部２ａは、上方に位置する上部筒状壁２ａ１を備えている。上部筒状壁２ａ１の下端には、下方に向かうにつれて径方向外側へ延在する連結部（上部連結部）２ａ２が一体につながっており、上部連結部２ａ２の外縁には、上部筒状壁２ａ１よりも大径になる下部筒状壁２ａ３が一体につながっている。更に下部筒状壁２ａ３の下端には、下方に向かうにつれて径方向外側へ延在する連結部（下部連結部）２ａ４が設けられている。
【００１７】
また口部２ａは、上部筒状壁２ａ１を貫く貫通孔（通気口）２ａ５と、上部筒状壁２ａ１の外周面に設けられる雄ねじ部２ａ６を備えている。また通気口２ａ５を設けた部位には、上下方向に延在して雄ねじ部２ａ６を分断する切欠き２ａ７が設けられている。
【００１８】
更に口部２ａは、図１の拡大図に示すように、下部筒状壁２ａ３と下部連結部２ａ４とがつながる部位において、下部筒状壁２ａ３の外面から径方向外側に向けて突出する段部２ａ８を備えている。
【００１９】
胴部２ｂは、下部連結部２ａ４の外縁に一体につながって下方に向けて拡径しながら延在する肩部２ｂ１を備えている。肩部２ｂ１の下端には、図２に示すように下方に向けて略同一の外径で延在する胴部本体２ｂ２が一体につながっていて、胴部本体２ｂ２の下端には、底部２ｃが一体につながっている。
【００２０】
内層体３は、その内側に内容物を収容可能な充填空間Ｓを備えている。本実施形態の内層体３は、薄肉の合成樹脂製であって、減容変形可能に設けられている。
【００２１】
本実施形態における外層体２Ａと内層体３は、相互に相溶性が低い合成樹脂を剥離可能に積層させたものである。外層体２Ａを構成する合成樹脂としては、例えば低密度ポリエチレン（ＬＤＰＥ）や高密度ポリエチレン樹脂（ＨＤＰＥ）をはじめとするポリエチレン樹脂（ＰＥ）を採用することができる。また内層体３を構成する合成樹脂としては、ナイロン樹脂（ＰＡ）、エチレンビニルアルコール共重合樹脂（ＥＶＯＨ）、変性ポリオレフィン樹脂（例えば三井化学株式会社製「アドマー」（登録商標）等）を採用することができる。なお内層体３は、これらの樹脂が単体で構成されるものの他、複数層で構成されるものも採用することができる。複数層になる内層体３として、例えば２層の場合を例示すると、内側層（内容物に接する側の層）を変性ポリオレフィン樹脂で構成し、外側層（外層体２Ａに面する側の層）をナイロン樹脂（ＰＡ）やエチレンビニルアルコール共重合樹脂（ＥＶＯＨ）で構成したものを採用することができる。このような外層体２Ａと内層体３は、外層体２Ａを形成する合成樹脂素材と内層体３を形成する合成樹脂素材とが積層されたパリソンを、ブロー成形することによって得ることができるが、他にも、外層体２Ａの合成樹脂素材と内層体３の合成樹脂素材とを積層させた試験管状のプリフォームを準備し、このプリフォームを２軸延伸ブロー成形して形成することや、外層体及び内層体を個別に形成し、その後、内層体を外層体の内側に配置したものも用いることができる。また、図示は省略するが、外層体２Ａと内層体３との間に、縦方向に延在して外層体２Ａと内層体３とを部分的に接合する、１本或いは複数本の接着帯を設けてもよい。
【００２２】
キャップ４Ａは、上部筒状壁２ａ１の上方に位置するとともに、その外縁が下方に向かって径方向外側に広がる向きに傾斜する平板状の天壁４ａと、天壁４ａの外縁から下方へ向けて延在して口部２ａを囲繞する筒状の外周壁４ｂとを備えている。また外周壁４ｂの内周面には、雄ねじ部２ａ６に適合する雌ねじ部４ｃが設けられている。なお、図１の拡大図において符号４ｄを付した部位は、外周壁４ｂの下端部を示している。
【００２３】
パッキン５は、平板状に形成されていて、キャップ４Ａの内側に取り付けられている。そして、外層体２Ａにキャップ４Ａをねじ込むことで、上部筒状壁２ａ１の上面と天壁４ａの下面との間で挟持されて充填空間Ｓを密閉することができる。
【００２４】
このように構成されるキャップ付き容器は、外層体２Ａにキャップ４Ａを装着するべく口部２ａに対してキャップ４Ａを回転させると、締め付けが終了するねじ込み終了域において外周壁４ｂの下端部４ｄが、図１の拡大図に示すように段部２ａ８に気密に当接する。これにより、通気口２ａ５と外界との空気の流れを遮断することができるため、内容物の水分や揮散成分が内層体３を透過することがあっても、これらが外界に放出されることがない。このため、透過した水分や揮散成分は外層体と内層体との間に滞留することになり、ここでの濃度が高まるため、新たな水分や揮散成分の透過を抑制することができる。また、下端部４ｄと段部２ａ８との当接はねじ込み終了域で生じるようにしているため、両者が当接する際のトルクの上昇を極力抑えることができ、キャップ４Ａを回転させる際に力が過度に必要になることがない。なお、外層体２Ａとキャップ４Ａによって水分や揮散成分の透過を抑えているため、内層体３としては比較的ガスバリア性の低い安価な材料を用いてコストを抑えることも可能であるが、減容変形に影響を与えない程度に内層体３の厚みを厚くしたり、内層体３に高いバリア性をもつ材料（例えば耐水分透過性を持つ変性ポリオレフィン樹脂や耐酸素透過性を持つＥＶＯＨ等）を採用したりすることによって、内容物の濃度変化や内容物の減量を抑える効果を更に高めることが可能である。
【００２５】
なお、本実施形態のキャップ付き容器は、キャップ４Ａを取り外した後、例えば図２に示すような櫛付きノズル６を口部２ａに装着して使用されるが、用途に応じて種々のノズルを装着して使用することができる。
【００２６】
次に、本発明に従うキャップ付き容器の第二実施形態について図３を参照しながら説明する。なお以下の説明において、上述した第一実施形態と共通する機能を有する部分については、図面に同一の符号を付して説明を省略する。
【００２７】
本実施形態のキャップ付き容器は、第一実施形態の外層体２Ａに換えて外層体２Ｂを備えている。外層体２Ｂは、外層体２Ａの段部２ａ８に換えて、図３の拡大図に示す傾斜部２ａ９を備えている。ここで傾斜部２ａ９は、下部筒状壁２ａ３と下部連結部２ａ４とがつながる部位において、下部筒状壁２ａ３の外面から下方に向けて拡径しながら延在するものである。
【００２８】
本実施形態のキャップ付き容器では、口部２ａに対してキャップ４Ａを回転させると、図３の拡大図に示すように外周壁４ｂの下端部４ｄは、締め付けが終了するねじ込み終了域において傾斜部２ａ９に気密に当接する。すなわち、本実施形態のキャップ付き容器でも、先に述べたものと同様に内容物の濃度変化や内容物の減量を抑制することができ、またキャップ４Ａを回転させる際に力が過度に必要になることがない。
【００２９】
更に本発明に従うキャップ付き容器は、図４に示す如きものでもよい。図４に示す第三実施形態のキャップ付き容器は、第二実施形態のキャップ４Ａに換えてキャップ４Ｂを備えるものである。キャップ４Ｂは、上部筒状壁２ａ１の上方に位置する平板状の天壁４ｅと、天壁４ｅの外縁から下方へ向けて延在して口部２ａを囲繞した、全体として筒状をなす外周壁４ｆとを備えている。
【００３０】
ここで外周壁４ｆは、雌ねじ部４ｃが設けられる上部外周壁４ｆ１と、上部外周壁４ｆ１に一体につながる下部外周壁４ｆ２とを備えている。下部外周壁４ｆ２は、上部外周壁４ｆ１よりも薄肉であって、径方向内側から力を受けると径方向外側に撓むように弾性変形する。なお、図４の拡大図に示す符号４ｆ３を付した部位は、外周壁４ｆ（下部外周壁４ｆ２）の下端部を示している。更に、上部外周壁４ｆ１と下部外周壁４ｆ２がつながる部位には、径方向外側に向けて突出するリング部４ｆ４が設けられている。
【００３１】
本実施形態のキャップ付き容器では、口部２ａに対してキャップ４Ｂを回転させると、図４の拡大図に示すように外周壁４ｂの下端部４ｆ３が、締め付けが終了するねじ込み終了域において傾斜部２ａ９に気密に当接する。この時、下部外周壁４ｆ２は、両者の当接によって径方向内側から力を受けるため、径方向外側に広がるように弾性変形する。これにより、下端部４ｆ３が傾斜部２ａ９に当接した際のトルクの上昇を抑えることができる。また、本実施形態でも通気口２ａ５と外界との空気の流れを遮断することができるため、内容物の濃度変化や内容物の減量を抑制することができる。なお、リング部４ｆ４は下部外周壁４ｆ２よりも径方向外側に突出しているため、キャップ４Ｂに対して外側から衝撃が作用することがあっても、下部外周壁４ｆ２よりも先にリング部４ｆ４で受けることができる。このため、下部外周壁４ｆ２の不用意な損傷を防止することができる。
【００３２】
本発明に従うキャップ付き容器は、これまでに述べた実施形態に限定されるものではなく、特許請求の範囲に従う範囲で種々の変更がなされたものも含まれる。例えば図３に示すキャップ４Ｂは、外周壁４ｆの下方部分である下部外周壁４ｆ２の厚みを全体的に薄くして、この部分を外側に撓むように弾性変形可能にしてトルクの上昇を抑えていたが、図１に示すキャップ４Ａのような外周壁の厚みが全体的に略同一になるものであっても、その外周壁に局所的に薄肉部を設けて、薄肉部よりも下方部分が径方向外側に弾性的に広がるように構成してもよい。
【符号の説明】
【００３３】
１：容器本体
２Ａ、２Ｂ：外層体
２ａ：口部
２ａ１：上部筒状壁
２ａ２：上部連結部
２ａ３：下部筒状壁
２ａ４：下部連結部
２ａ５：通気口
２ａ６：雄ねじ部
２ａ７：切欠き
２ａ８：段部
２ａ９：傾斜部
２ｂ：胴部
２ｂ１：肩部
２ｂ２：胴部本体
２ｃ：底部
３：内層体
４Ａ、４Ｂ：キャップ
４ａ：天壁
４ｂ：外周壁
４ｃ：雌ねじ部
４ｄ：下端部
４ｅ：天壁
４ｆ：外周壁
４ｆ１：上部外周壁
４ｆ２：下部外周壁
４ｆ３：下端部
４ｆ４：リング部
５：パッキン
６：櫛付きノズル
Ｓ：充填空間
【図１】
2018002233.tif 000003
【図２】
2018002233.tif 000004
【図３】
2018002233.tif 000005
【図４】
2018002233.tif 000006